(57)【要約】  例示的な事前に組み立てられた壁パネルは、対向する端部部材に接続された複数のスタッドを含むパネルフレームと、パネルフレームの対向する第１および第２の側に接続された第１および第２の壁板と、第１および第２の壁板の少なくとも１つに取り付けられた複数のスペーサであって、第１および第２の壁板の少なくとも１つから間隔を空けて仕上げパネルを支持するように構成された複数のスペーサと、第１および第２の壁板の間に配置される菅であって、対向する端部部材間に延在する管とを含んでもよく、管は管分流器を含み、管分流器の自由端は第１の壁板または第２の壁板の開口を通過する。
2019509412.tif 000002
【特許請求の範囲】
【請求項１】
事前に組み立てられた壁パネルであって、
複数のスタッドと第１および第２の端部部材とを含むパネルフレームであって、前記第１の端部部材は前記スタッドの一方の端部に配置され、前記第２の部材は前記スタッドの反対側の端部に配置され、前記複数のスタッドのそれぞれは、前記第１および第２の端部部材に接続されるパネルフレームと、
前記パネルフレームの第１の側に接続された第１の壁板と、
前記第１の側と反対側の前記パネルフレームの第２の側に接続された第２の壁板と、
前記第１の壁板および前記第２の壁板の少なくとも１つに取り付けられた複数のスペーサであって、前記複数のスペーサの各スペーサは、仕上げパネルを、前記第１の壁板および前記第２の壁板の前記少なくとも１つから間隔を空けて支持するように構成される複数のスペーサと、
前記第１の壁板と前記第２の壁板との間に配置され、かつ、対向する前記端部部材間に延在する管であって、前記管は管分流器を含み、前記管分流器の自由端は前記第１の壁板または前記第２の壁板の開口を通過する、管と
を含む、事前に組み立てられた壁パネル。
【請求項２】
前記管分流器が、管セクションに接続されたまたは管セクションと一体的に形成された管継手を含む、請求項１に記載の壁パネル。
【請求項３】
前記管継手がＴ字形要素またはＹ字形要素の１つを含む、請求項２に記載の壁パネル。
【請求項４】
前記管の両端部に蓋がかぶせられる、請求項１に記載の壁パネル。
【請求項５】
前記スタッドに対して横方向に前記パネルフレームに取り付けられた管支持部材をさらに含む、請求項１に記載の壁パネル。
【請求項６】
前記管支持部材がＣ字形金属チャネルを含み、前記壁パネルが、前記Ｃ字形金属チャネルおよび前記管と動作可能に係合される導管クランプをさらに含む、請求項５に記載の壁パネル。
【請求項７】
前記管支持部材がトラックに接続され、前記トラックは少なくとも２つの隣接するスタッドに接続され、前記Ｃ字形金属チャネルが前記トラック内に収容される、請求項６に記載の壁パネル。
【請求項８】
前記管が、前記第１および第２の壁板の間に少なくとも部分的に囲まれた複数の水管および排水管の１つである、請求項１に記載の壁パネル。
【請求項９】
前記水管のそれぞれが、前記管の両端部に近接する第１および第２の管分流器と、前記第１および第２の管分流器間に配置された少なくとも１つの中間管分流器とを含む、請求項８に記載の壁パネル。
【請求項１０】
前記第１の壁板および前記第２の壁板の少なくとも１つが、複数の事前に製造された不燃性材料の板を含む、請求項１に記載の壁パネル。
【請求項１１】
前記複数のスペーサが複数のハット型チャネルを含む、請求項１に記載の壁パネル。
【請求項１２】
前記複数のスペーサが、前記第１の壁板に接続された複数の第１のスペーサと、前記第２の壁板に接続された複数の第２のスペーサとを含み、前記第１のスペーサの高さが前記第２のスペーサの高さよりも高い、請求項１に記載の壁パネル。
【請求項１３】
前記スペーサが垂直に配置され、複数の垂直に広がるキャビティを画定し、前記キャビティの少なくとも１つが、建築物の構造梁の高さを上回る幅を有する、請求項１に記載の壁パネル。
【請求項１４】
前記壁パネルが約１８フィート〜約２２フィートの長さである、請求項１に記載の壁パネル。
【請求項１５】
前記壁パネルが、ユニットのドアを収容するように構成された開口を含む、請求項１に記載の建築物。
【請求項１６】
複数階建て建築物であって、
少なくとも１つの梁を含む構造フレームと、
前記構造フレームに取り付けられた事前に組み立てられた壁パネルであって、前記建築物の上のユニットの床レベルより上に延在する上部パネル部分と、前記建築物の下のユニットの天井レベルよりも下に延在する下部パネル部分とを含む、事前に組み立てられた壁パネルと
を含む複数階建て建築物。
【請求項１７】
前記事前に組み立てられた壁パネルが、前記上のユニットおよび前記下のユニットの両方に配管公共設備を提供するように構成される、請求項１６に記載の建築物。
【請求項１８】
前記事前に組み立てられた壁パネルが、複数のスタッドによって離間された第１および第２の壁板と、前記第１および第２の壁板間に配置された管とをさらに含み、前記管が前記第１および第２の壁板の１つを通過する管分流器を含む、請求項１６に記載の建築物。
【請求項１９】
前記事前に組み立てられた壁パネルが、前記上部パネル部分と前記下部パネル部分との間に前記壁板に対して垂直に配置された絶縁材をさらに含む、請求項１６に記載の建築物。
【請求項２０】
前記上部パネル部分が、上の階の全高さ、および前記上の階より上の別の階の部分的な高さに広がる、請求項１６に記載の建築物。
【請求項２１】
前記壁パネルが前記少なくとも１つの梁に取り付けられ、前記建築物が、前記壁パネルの反対側で前記梁に取り付けられる床パネルをさらに含む、請求項１６に記載の建築物。
【請求項２２】
建築物の公共設備壁を構築する方法であって、
第１の事前に組み立てられた壁パネルを建築物の構造フレームに取り付けることと、
前記第１の事前に組み立てられた壁パネルの上に垂直に第２の事前に組み立てられた壁パネルを配置することであって、前記第１および第２の事前に組み立てられた壁パネルのそれぞれが、少なくとも部分的に前記壁パネルの内部にある管を含み、前記管が前記壁パネルの外部に露出された流れ分流器を含むことと、
前記第２の事前に組み立てられた壁パネルを前記建築物の前記構造フレームに取り付けることと、
前記第１および第２の事前に組み立てられた壁パネルの前記管を流体的に結合するために前記流れ分流器のそれぞれに管継手を接続することと
を含む方法。
【請求項２３】
前記第１の事前に組み立てられた壁パネルを構造フレームに前記取り付けることが、前記第１の事前に組み立てられた壁パネルに取り付けられたアングルブラケットを前記建築物の水平構造部材に機械的に接合することを含む、請求項２１に記載の方法。
【請求項２４】
前記第１の事前に組み立てられた壁パネルが、前記建築物の上のユニットの床レベルより上に延在する上部パネル部分と、前記建築物の下のユニットの天井レベルより下に延在する下部パネル部分とを含み、前記方法が、前記第１および第２の事前に組み立てられた壁パネルの少なくとも１つを前記構造フレームに取り付ける前に、前記上部パネル部分と前記下部パネル部分との間の位置で床パネルを前記構造フレームに取り付けることをさらに含む、請求項２１に記載の方法。
【請求項２５】
前記第１および第２の事前に組み立てられた壁パネルのそれぞれの前記管が第２の管分流器をさらに含み、前記方法が配管器具を前記第２の管分流器に接続することをさらに含む、請求項２１に記載の方法。
【発明の詳細な説明】
【技術分野】
【０００１】
関連出願の相互参照
本出願は、２０１６年３月７日に出願された米国仮特許出願第６２／３０４，８６２号に基づく優先権を主張するものである。前出の出願はあらゆる目的のために参照により完全な形で組み込まれる。
【背景技術】
【０００２】
背景
建設業界は効率を改善するためにモジュール構造技術をますます使用している。モジュール構造において、構造物全体または構造物のサブアセンブリが、現場外施設で事前に作製される。次いで、完成したアセンブリが、設置のために建設現場に運ばれる。構成要素から成る構造物は事前に作製することができるが、追加の構成要素は建設現場での設置を必要とすることがある。これらの構成要素には、電気配線、配管、データライン、仕上げ面が含まれ得る。これらの構成要素の一部の設置は、熟練の職人を必要とする場合がある。職人に１つの事前作製施設ではなく複数の建設現場に移動するように要求すると、人件費が増加し、時間効率が低下する可能性がある。
【発明の概要】
【課題を解決するための手段】
【０００３】
概要
例示的な事前に組み立てられた壁パネルは、複数のスタッドと第１および第２の端部部材とを含むパネルフレームを含んでもよく、第１の端部部材はスタッドの一方の端部に配置され、第２の部材はスタッドの反対側の端部に配置され、複数のスタッドのそれぞれは、第１および第２の端部部材に接続される。壁パネルは、パネルフレームの第１の側に接続された第１の壁板と、第１の側と反対側のパネルフレームの第２の側に接続された第２の壁板とをさらに含んでもよい。壁パネルは、第１の壁板および第２の壁板の少なくとも１つに取り付けられた複数のスペーサをさらに含んでもよく、複数のスペーサの各スペーサは、仕上げパネルを、第１の壁板および第２の壁板の少なくとも１つから間隔を空けて支持するように構成される。壁パネルは、第１の壁板と第２の壁板との間に配置される菅であって、対向する端部部材間に延在する管をさらに含んでもよく、管は管分流器を含み、管分流器の自由端は第１の壁板または第２の壁板の開口を通過する。
【０００４】
複数階建て建築物は、少なくとも１つの梁を含む構造フレームと、構造フレームに取り付けられた事前に組み立てられた壁パネルであって、建築物の上のユニットの床レベルより上に延在する上部パネル部分と建築物の下のユニットの天井レベルよりも下に延在する下部パネル部分とを含む事前に組み立てられた壁パネルとを含んでもよい。
【０００５】
建築物の公共設備壁（utility wall）を構築する方法は、第１の事前に組み立てられた壁パネルを建築物の構造フレームに取り付けることと、第１の事前に組み立てられた壁パネルの上に垂直に第２の事前に組み立てられた壁パネルを配置することであって、第１および第２の事前に組み立てられた壁パネルのそれぞれが、少なくとも部分的に壁パネルの内部にある管と、壁パネルの外部に露出された流れ分流器とを含むことと、第２の事前に組み立てられた壁パネルを建築物の構造フレームに取り付けることと、第１および第２の事前に組み立てられた壁パネルの管を流体的に結合するために流れ分流器のそれぞれに管継手を接続することとを含んでもよい。
【０００６】
上記の概要は例示に過ぎず、決して限定することを意図したものではない。上記の例示的な態様、実施形態、および特徴に加えて、さらなる態様、実施形態、および特徴が、図面および以下の詳細な記載を参照することによって明らかになるであろう。
【０００７】
図面の簡単な説明
本開示の前述のおよび他の特徴は、添付の図面と併せて読まれる以下の記載および付随の特許請求の範囲からより完全に明らかになるであろう。これらの図面は本開示によるいくつかの実施形態を単に示すものであり、従ってその範囲を限定するものと解釈すべきではないことを理解しながら、本開示は添付の図面を用いることでさらに具体的かつ詳細に記載される。
【図面の簡単な説明】
【０００８】
【図１Ａ】壁パネルの等角図である。
【図１Ｂ】図１Ａの壁パネルの部分的に分解された等角図である。
【図２】壁パネルの部分立面断面図である。
【図３】複数階建て建築物の図である。
【図４】別の壁パネルの等角図である。
【図５Ａ】建築物の一部の等角立面図である。
【図５Ｂ】建築物の一部の別の等角立面図である。
【図６】隣接する壁パネルの部分立面断面図である。
【図７】建築物の他の構造物に取り付けられた壁パネルの立面断面図である。
【図８】仕上げパネルシステムの部分立面断面図である。
【図９】例示的な方法のフロー図である。
【発明を実施するための形態】
【０００９】
全ては本開示の少なくともいくつかの実施形態に従って構成されている。
【００１０】
詳細な記載
以下の詳細な記載において、本明細書の一部を成す添付の図面を参照する。図面中、同様の記号は、別段の指示がない限り、通常は同様の構成要素を指す。詳細な記載、図面、および特許請求の範囲に記載する説明に役立つ実施形態は限定を意味するものではない。本明細書に提示する主題の趣旨および範囲から逸脱することなく、他の実施形態を利用することができ、他の変更を行うことができる。本明細書に概略的に記載し図に示すような本開示の態様は、全て本明細書に暗黙的に想定される多種多様な異なる構成において配置、置換、組み合わせ、分離、および設計できることが容易に理解されるであろう。
【００１１】
本開示は、とりわけ、外部パネルと、外部パネルに結合された複数のスタッドと、外部パネルの反対側で複数のスタッドに結合されたハット型チャネルであって、スタッドに対して直交するハット型チャネルと、複数のスタッドの反対側でハット型チャネルに結合された内部パネルとを含み得る公共設備用パネルに概ね関連付けられる方法、システム、製品、デバイスおよび／または装置に引かれる。
【００１２】
いくつかの実施形態では、建築物は、配管および／または電気配線などの公共設備（ユーティリティ）が設置されている場合がある。いくつかの実施形態では、１つまたは複数の公共設備に関連する構成要素が、事前に組み立てられたパネルに組み込まれてもよい。例えば、管などの配管部品が、事前に組み立てられた壁パネルに一体化されてもよい。いくつかの実施形態では、建築物が建設されるとき、事前に組み立てられたパネルが設置されてもよい。事前に組み立てられたパネルは、建築物の外壁と建築物の内壁とを提供し得る。いくつかの例では、事前に組み立てられたパネルの一方の側が内壁を提供し得、反対側が外壁を提供し得る。いくつかの例では、事前に組み立てられたパネルの両側が内壁を提供し得る。いくつかの実施形態では、複数の事前に組み立てられたパネルを一緒に結合して、建築物の１つまたは複数の壁全体を形成することができる。いくつかの実施形態では、事前に組み立てられたパネルは耐荷性であり得、床、屋根、および／または他の内壁または外壁に対する支持を提供し得る。いくつかの実施形態では、事前に組み立てられたパネルは非耐荷性であり得る。いくつかの実施形態では、事前に組み立てられたパネルは、建築物の耐荷構造（例えば、構造フレーム）に結合されてもよい。例えば、耐荷構造は、外部構造鋼フレームであり得る。
【００１３】
いくつかの実施形態では、事前に組み立てられたパネルのうちの１つまたは複数は、公共設備が事前に設置されていてもよい。公共設備には、電気、配管、暖房および空調、電気通信および／または他の公共設備が含まれ得る。事前に設置された公共設備を備えた事前に組み立てられたパネルは、公共設備壁パネルまたは単に壁パネルと呼ばれる場合がある。壁パネルには、１つまたは複数の公共設備が事前に設置されている場合がある。建築物の建設現場への引き渡しに先立って壁パネルの製作中に公共設備を設置することは、建築物のより速い組立てを可能にし得、およびいくつかの実施形態では、建築物内の公共設備の設置に必要な熟練した職人の数を低減し得る。
【００１４】
いくつかの実施形態では、複数の壁パネルは一緒に結合することができる。壁パネルは、水平方向および／または垂直方向に一緒に結合することができる。同じくパネル内の公共設備を水平方向および／または垂直方向に一緒に結合することができる。これにより、建築物の１つの階の複数のユニットに、および複数階の複数のユニットに公共設備を設けることが可能になり得る。
【００１５】
いくつかの実施形態では、壁パネルは、隙間空間を間に有する２枚の壁板を含んでもよい。いくつかの実施形態では、壁板は、複数のスタッドの両側に取り付けられてもよく、複数のスタッドは壁板の間に隙間空間を維持してもよい。複数のスタッドは、対向する第１および第２の端部部材に接合されて、パネルフレームを形成してもよい。第１の端部部材はスタッドの一方の端部に配置され、第２の端部部材はスタッドの反対側の端部に配置されてもよい。複数のスタッドの各スタッドが、第１および第２の端部部材に接続されてもよい。スタッドは互いに離間していてもよい。公共設備は、隙間空間内およびスタッド間に設置されてもよい。いくつかの実施形態では、スタッドは打ち抜かれてもよく、これによりスタッドの開口を通して公共設備を設置することが可能になる。いくつかの実施形態では、壁パネルは、壁仕上げ材料を取り付けるためなど、壁板の外面に取り付けられたスペーサを含んでもよい。壁仕上げ材料は、内部仕上げパネルなどの内部仕上げ材または外部被覆材などの外部仕上げ材を含んでもよい。スペーサは、仕上げ材を壁板に対して離間した関係で提供してもよく、それによって仕上げ材と壁板との間に空間を画定する。この空間は、１つのパネルの公共設備構成要素と別のパネルの公共設備構成要素との間の接続部を形成するためなど、公共設備のために使用されてもよい。
【００１６】
いくつかの実施形態では、配管用および／または他の公共設備用の管が、壁パネルの内部に垂直に延在してもよい。いくつかの例では、管はスタッドの間を延在してもよい。いくつかの実施形態では、管は発泡体で囲まれていてもよい。いくつかの実施形態では、発泡体はスタッドと壁板との間の空間を実質的に満たしてもよい。いくつかの実施形態では、発泡体は管を少なくとも部分的に支持してもよい。いくつかの実施形態では、発泡体は、管を整列した状態に保持してもよい。いくつかの実施形態では、壁パネルは、ミネラルウールなどの絶縁材を含んでもよい。いくつかの実施形態では、絶縁材はスタッド間に設けられてもよい。
【００１７】
いくつかの実施形態では、壁パネルのパネルフレームの材料組成は、主に鋼などの金属であってもよい。いくつかの実施形態では、主にアルミニウムであってもよい。さらに他の実施形態では、壁パネル構成要素は、金属および／または金属合金から、木材および木材ポリマー複合材（ＷＰＣ：wood polymer composites）、木材製品（リグニン）、他の有機建築材料（竹）まで、有機ポリマー（プラスチック）まで、ハイブリッド材料、またはセラミックなどの土材料までの範囲の様々な建築に適した材料から作られてもよい。いくつかの実施形態では、セメントまたは他の流し込み可能または成形可能な建築材料を使用することもできる。他の実施形態では、公共設備パネルのいくつかの要素のための１つの建築材料と、公共設備パネルの他の要素のための他の建築材料とを使用することによって、適切な建築材料の任意の組み合わせを組み合わせることができる。任意の材料の選択は、材料選択肢（国際建築基準法の中で提供されるものなど）を参照して行うことができ、または建築される構造物の耐荷要件を決定する際に当業者の知識に基づいて選択することができる。より大きいおよび／または高い構造物は、より小さいおよび／またはより低い建築物よりも高い物理的強度要件を有し得る。構造物の寸法、荷重および環境応力に適応するように建築材料を調整することにより、本明細書に記載される公共設備パネル内のすべての構成要素に使用される建築材料の最適な経済的選択を決定することができる。世界中の様々な場所での様々な建築材料の入手可能性は、本明細書に記載のシステムを構築するための材料の選択にも影響を及ぼし得る。同じく、国際建築基準法または同様の法の採用は、材料の選択に影響を及ぼし得る。
【００１８】
本明細書における「金属」への言及はいずれも、本明細書に記載された公共設備パネルおよび構成要素の製造および／または組立てに好適であり得るあらゆる建設グレード金属または金属合金を含む。「木材」への言及はいずれも、化学的に処理、精製、加工されたまたは単に植物から収穫されたかどうかにかかわらず、木材、木材積層製品、木材プレス製品、木材ポリマー複合材（ＷＰＣ）、竹または竹関連製品、リグニン製品およびあらゆる植物由来製品を含む。本明細書における「コンクリート」への言及はいずれも、セメント、水および粒状骨材を含むあらゆる建設グレード硬化性複合材を含む。粒状骨材は、砂、砂利、ポリマー、灰および／または他の鉱物を含んでもよい。
【００１９】
ここで図面を参照すると、図１Ａおよび１Ｂは、本明細書に記載の少なくともいくつかの実施形態に従って構成された例示的な公共設備パネル３１６の等角図および部分分解図を示す。図１Ａは、とりわけ、公共設備パネル３１６のパネルフレーム３２０、スタッド３２２、端部部材３２４、第１および第２の壁板３３０および３４０、絶縁材３３８、管支持部材３７０、およびスペーサ３２３を示す。図１Ｂは、とりわけ、公共設備パネル３１６のパネルフレーム３２０、スタッド３２２、端部部材３２４、第１および第２の壁板３３０および３４０、隙間空間３２６、絶縁材３３８、スペーサ３２３、キャビティ３２７、および管支持部材３７０を示す。図１Ａおよび１Ｂに示す様々な構成要素は単なる実施形態であり、構成要素の排除、構成要素の組合せ、および構成要素の置換を含む他の変形が全て想定される。
【００２０】
事前に組み立てられた壁パネル３１６は、複数のスタッド３２２と端部部材３２４とを含んでもよいパネルフレーム３２０を含んでもよい。端部部材３２４は、スタッド３２４の両端に位置し、それに接続されてもよい。スタッド３２２は、いくつかの実施形態では、アルミニウムまたは鋼などの金属材料から形成されてもよい。いくつかの実施形態では、スタッド３２２は、深さ約８インチ〜深さ約１２インチであってもよい。いくつかの実施形態では、スタッド３２２は、深さ約１０インチであってもよい。壁パネル３１６が建築物に設置されるとき、スタッド３２２は垂直に延在してもよい。いくつかの実施形態では、スタッド３３２は、規則的または不規則的に離間されてもよい。いくつかの実施形態では、スタッド３２２は、中心で２フィート離間されてもよい。スタッドの間隔は、構造物の荷重要件に基づいて調整されてもよい。いくつかの実施形態では、スタッドは、木製スタッドを使用して実装されてもよい。いくつかの実施形態では、任意の他の適切な建設材料（例えば、繊維強化複合材料）が使用されてもよい。いくつかの実施形態では、開口がスタッド３２２に存在してもよく、これは公共設備の水平配置を可能にし得る。スタッド３２２は、公共設備の垂直配置のためにスタッド３２２間に垂直隙間空間３２６を画定してもよく、スタッド３２２の開口は、隣接する垂直隙間空間３２６内の公共設備間の接続を可能にし得る。絶縁材３２８が、スタッド３２２間の隙間空間３２６の１つまたは複数の中に提供されてもよい。スタッド３２２は、両側の端部部材３２４に接続されてもよく、端部部材３２４は外側スタッドとともに集合的に壁パネル３１６の外周側を画定してもよい。組み立て中、壁パネル３１６は、側部同士が接するように提供されてもよい（例えば、別のパネルに垂直または水平に隣接する）。いくつかの例では、隣接する壁パネルの外周側は、互いに当接してもよい。いくつかの例では、壁パネルの隣接する側面の間に中間層が配置されてもよい。いくつかの例では、壁パネルの隣接する側面の間に、例えば隣接するパネル間の接合部をシールするためのインターフェース構成要素またはアセンブリが設けられてもよい。
【００２１】
第１の壁板３３０および第２の壁板３４０がパネルフレーム２２０の両側に接続されてもよい。例えば、壁板は、スタッド３２２および対向する部材３２４の両側に（例えば、ねじ付き締結具を用いて）締結されてもよい。第１および／または第２の壁板は、１つまたは複数の事前に製造された不燃性材料の板３３２、３４２から構造化することができる。当業者には理解されるように、不燃性材料は、火または熱にさらされたときに、容易に着火しない、燃焼しない、燃焼を促進しない、および可燃性蒸気を放出しない材料であってもよい。不燃性材料の例としては、典型的に内装および外装製品に使用され得るようなセメント、石膏、および酸化マグネシウムなどの無機鉱物材料が挙げられる。他の例としては、ガラス、ガラス繊維またはガラス／ガラス繊維被覆材が挙げられてもよく、それらは、例えば無機鉱物製品で形成された芯を補強するためにまたは芯の側面を裏打ちするために、無機鉱物製品と組み合わせて使用されてもよい。さらに他の実施形態では、壁パネルまたはその構成要素は、様々な他の建築に適した材料から作製されてもよい。
【００２２】
いくつかの実施形態では、第１の壁板３３０は、建築物の内壁として機能し得る第１の側３３１に設けられてもよい。第２の壁板３４０は、建築物の外壁として機能し得る反対の第２の側３４１に設けられてもよい。壁パネル３１６は、第１および第２の側３３１、３４１の一方または両方に仕上げ材料をそれぞれ支持するように構成されてもよい。いくつかの実施形態では、スペーサ３２３を、第１および第２の壁板３３０、３４０のいずれかまたは両方に取り付けることができる。スペーサ３２３は、内部仕上げパネルまたは外部仕上げパネルであってもよい仕上げパネルを支持するように構成されてもよい。スペーサ３２３は、仕上げパネルを壁板と離間した関係で取り付けるように構成されてもよい。仕上げパネルは、木材、ラミネート材、タイル、金属、プラスチック、複合材または他のタイプのパネルなどの内部仕上げパネルであってもよい。仕上げパネルは、スペーサに機械的に締結するなどして、スペーサに取り付けることができる。いくつかの例では、仕上げパネルは付着されてもよい（例えば、永久的または取り外し可能に接着されてもよい）。いくつかの例では、仕上げパネルの取り外しが壁パネルおよび／または仕上げパネルに実質的な損傷を引き起こさないような方法で取り付けるなど、仕上げパネルは取り外し可能に取り付けられてもよい。いくつかの例では、仕上げパネルは、外壁に設けられてもよい外装材などの外部仕上げパネルであってもよい。
【００２３】
いくつかの実施形態では、スペーサ３２３は、壁パネル３１６の長さに沿って連続的に延在し得る細長い部材３２５の形態で実装されてもよい。スペーサ３２３は、長さｌを有してもよい。いくつかの例では、スペーサ３２３は、パネル３１６の全長またはパネル３１６の長さの一部分に延在してもよい。スペーサ３２３は高さｈを有してもよく、高さｈは、仕上げパネルがそれに取り付けられる場合、壁板（例えば、壁板３３０）と、仕上げパネルとの間の空間距離ｄを定めてもよい。壁パネルのスペーサの高さおよび長さは、特定の用途に適したように変更することができる。壁パネルの片側または両側にスペーサを設けることができる。例えば、スペーサは、１つまたは複数の内部仕上げパネルを取り付けるためなど、内側に設けることができる。いくつかの例では、１つまたは複数の外部仕上げパネルを取り付けるためなど、スペーサ（例えば、ハット型チャネルまたは下地用チャネル（furring channel））を壁パネルの外側に設けてもよい。いくつかの例では、壁パネルの外側のスペーサは現場で取り付けられてもよい。いくつかの例では、壁パネルの外側のスペーサは工場で取り付けられてもよく、事前に組み立てられた壁パネルの一部を形成してもよい。
【００２４】
壁板の外面に沿って、複数のスペーサ３２３（例えば、細長い部材３２５）を設けることができる。スペーサ（例えば、細長い部材３２５）は、互いに概ね平行（例えば、プラスまたはマイナス１５度）であってもよい。壁パネル３１６が設置されるとき、スペーサ３２３（例えば、細長い部材３２５）は、実質的に水平に延在してもよい。スペーサ３２３（例えば、細長い部材３２５）は、それらの間に水平に延在するキャビティ３２７を画定するように互いに離間されてもよい。水平に延在するキャビティ３２７は、仕上げパネルの背後に公共設備構成要素を収容してもよい。いくつかの実施形態では、スペーサ３２３は、壁板の外面に沿って一列に配置することができる複数のより短いブラケットを使用して実装することができる。いくつかの実施形態では、スペーサ３２３は、１つまたは複数のハット型チャネル３２５−３を含んでもよい。ハット型チャネル３２５−３は、壁板（例えば、壁板３３０）の反対側で、スタッド３２２に対して直交（例えばプラスまたはマイナス１５度）するように配置することができる。いくつかの実施形態では、スペーサ３２３は、１つまたは複数のＣ字形またはＪ字形のチャネル３２５−１、３２５−２を含んでもよい。さらなる実施形態では、スペーサは、異なる断面形状を有するブラケットを含んでもよい。壁パネルおよび／またはその構成要素は、リベット、ネジ付き締結具（例えば、ネジ、ボルト、ナットとボルトの組み合わせ、およびそれらに類するもの）または他のタイプの機械的締結具を用いてなど、機械的に締結することによってなどの様々な技術を使用して、他の構造または構成要素に取り付けることができる。いくつかの例では、構成要素は、他の構成要素に付着（例えば、接着またはのり付け）されてもよい。本開示の範囲から逸脱することなく、構成要素を接合するための様々な技術を使用することができる。
【００２５】
壁パネル３１６は、下部パネル部分３１６−１および上部パネル部分３１６−２を含んでもよい。壁パネル３１６が設置されるとき、下部パネル部分３１６−１は、建築物の下の階の少なくとも一部の高さに及んでもよい。上部パネル部分３１６−２は、建築物の上の階の少なくとも一部の高さに及んでもよく、いくつかの例では、建築物の１つの階を越えて及んでもよい。スペーサ３２３の少なくともいくつかは、他のスペーサよりもさらに離間されてもよい。いくつかの例では、スペーサの少なくともいくつかは、建築物の構造フレームの床パネルまたは水平部材（例えば、梁）など、他の構造物を収容するように構成されたキャビティ３２７−３を画定するように十分に離間されてもよい。キャビティ３２７−３は、壁パネル３１６の階境界部分３１６−３に配置されてもよい。階境界部分３１６−３は、壁パネルの下側部分３１６−１と上側部分３１６−２との間にあってもよい。いくつかの例では、壁パネル３１６は、それぞれが他の構造物に接合されるように構成されてもよい複数の階境界部分を含んでもよい。いくつかの例では、ブラケット３２９を階境界部分３１６−３に取り付けることができる。ブラケット３２９は、壁パネル３１６を他の構造物（例えば、図７に示すような梁または床パネル）に整列および／または接合するために使用されてもよい。ブラケット３２９は、Ｌ字形の断面を有してもよい。ブラケット３２９は、山形鋼などのアングルブラケットの形態で実装することができる。ブラケット３２９は、違った風に成形されてもよく、または金属以外の材料から形成されてもよい。
【００２６】
壁パネル３１６は、壁パネル３１６の内部に補強部材３８０を含んでもよい。補強部材３８０は、壁パネル３１６が建築物に設置されたときに水平に配置されてもよく、従って、水平補強部材と代替的に呼ばれてもよい。補強部材は、プレート、例えば金属プレート（例えば、鋼プレート）の形態で実装されてもよい。補強部材３８０は、キャビティ３２７−３に近接していてもよい。補強部材３８０は、壁板のキャビティ３２７−３とは反対側で壁板３３０、３４０の間に配置されてもよい。補強部材３８０は、各壁板に当接してもよい。補強部材３８０は、壁パネル３１６の階境界部分３１６−３内にあってもよく、特にパネルが梁または床パネルなどの他の構造物に当接し得る位置で壁パネルを厚さ方向に剛化するように機能してもよい。絶縁材３８２は、補強部材３８０の下または上に設けられてもよい。絶縁材３８２は、ミネラルウールを含んでもよく、壁板に対して直交（例えばプラスまたはマイナス１５度）するように配置されてもよい。
【００２７】
いくつかの実施形態では、管（例えば、図２の管３５０を参照）を壁パネルの壁板の間に配置することができる。壁パネルが設置されたとき、管はスタッド３２２の間を垂直に延在してもよい。図を明瞭にするために、管は図１Ｂの分解図から省略され、図を雑然としないようになっている。壁パネル３１６または本開示による壁パネルのいずれの他の実施形態も、１つまたは複数の管を含んでもよいことは理解されよう。いくつかの例では、壁パネル３１６は、給水管（例えば、温水および冷水供給ライン）および排水管などの複数の管を含んでもよい。管は、対向する端部部材３２４の間に延在してもよい。管は、少なくとも１つの管分流器を含んでもよく、いくつかの例では複数の管分流器を含んでもよい。管分流器は、管の流路を分割するように構成されてもよい。いくつかの例では、管分流器は、管内の流体の少なくとも一部を方向転換するように構成されてもよい。いくつかの例では、および管のタイプ（例えば、給水管または排水管）に応じて、管分流器は、別の流路を管に向けるように構成されてもよい。管分流器は、２つ以上の流路をより少ない流路に組み合わせるように動作可能ないずれかの構造、または流路を複数の流路に分割するように動作可能ないずれかの構造を含んでもよい。いくつかの例では、管分流器は、管の一部分に接続されるか、または管の一部分と一体的に形成される管継手を含んでもよい。いくつかの例では、管分流器は、Ｔ字形要素（例えば、Ｔ字形管セクション）を含んでもよい。いくつかの例では、管分流器は、Ｙ字形要素（例えば、Ｙ字形管セクション）を含んでもよい。
【００２８】
管分流器の自由端は、壁パネルを貫通して延在してもよい。例えば、管分流器の自由端は、壁板の１つの開口を通過し、自由端を壁パネルの外部に露出させて、他の配管構成要素に接続することができる。管分流器は、Ｔ字形継手またはＹ字形継手などの管継手を含んでもよい。いくつかの例では、管分流器は、管を形成する別個の管セクションに接続されてもよく、または管セクションと一体的に形成されてもよい。いくつかの例では、管の端部に蓋をしてパネルフレーム内に封入することができる。垂直方向に隣接するパネルの管の間の流体接続は、以下でさらに記載するように管分流器を使用して形成されてもよい。
【００２９】
壁パネル３１６は、管支持部材３７０をさらに含んでもよい。管支持部材３７０は、パネルフレーム３２０に接続され、管（例えば、図２の管３５０）と動作可能に係合してもよい。従って、管支持部材３７０は、例えば壁パネル３１６の輸送および設置中に、管の動きを低減するように、管を壁パネルの構造に接続してもよい。管支持部材３７０は、スタッド３２２に対して横方向に配置されてもよい。いくつかの例では、管支持部材３７０は、スタッドに対して実質的に直交（例えばプラスまたはマイナス１５度）するように延在してもよい。いくつかの実施形態では、複数の管支持部材３７０が含まれてもよい。管支持部材は、管ブラケット３７２を含んでもよい。管ブラケット３７２は、横方向部材３７４に取り付けることができる。横方向部材３７４は、Ｃ字形チャネル（例えば、金属Ｃチャネル）を用いて実装されてもよく、および管ブラケット３７２は、Ｃ字形チャネルに動作可能に結合されてもよい。いくつかの例では、横方向部材３７４は、Atkore International,IncからのUNISTRUTチャネルを使用して実装することができる。管ブラケットは、UNISTRUTチャネルと共に使用するように構成された導管クランプを使用して実装することができる。いくつかの例では、異なる横方向部材および管ブラケットを使用することができる。いくつかの例では、複数の横方向部材３７４をトラック３７６に取り付ける（例えば、締結または溶接する）ことができ、トラックを使用して複数の横方向部材３７４を１つまたは複数のスタッド３２２に接続することができる。いくつかの例では、トラック３７６は、複数のスタッド３２２に接続するために複数の隙間空間３２６を横切って横方向に延在してもよい。トラック３７６は、外部スタッド間の全距離に延在してもよい。いくつかの例では、トラック３７６の基部は、スタッドに直接対向してもよく、横方向部材３７４は、２つの隣接するスタッド３２２間の隙間空間３２６に受け入れられてもよい。壁パネル３１６は、複数の管を支持するために複数の管支持部材を含んでもよい。異なるサイズの管ブラケットを使用して、異なる直径の管をパネルフレームに取り付けることができる。
【００３０】
図２は、本開示のさらなる例による壁パネル３１６の部分立面断面図である。図２は、建築物に設置された後の例示的な壁パネル（例えば、壁パネル３１６）を示し、壁パネルに取り付けられた仕上げパネルを示す。図２は、壁パネル３１６の一部と、パネルフレーム３２０と、隙間空間３２８と、絶縁材３２８と、両側３３１および３４１にそれぞれ設けられた壁板３３０、３４０と、細長い部材３２５および３３５を含むスペーサ３２３と、キャビティ３２７（スペーサ３２３の高さｈおよびキャビティ３２７に関連する空間距離ｄ）と、内部仕上げパネル３４６および外部仕上げパネル３４７を含む仕上げパネル３４５と、管３５０と、管支持部材３７０と、横方向部材３７４と、管ブラケット３７２と、トラック３７６とを示す。図２に示す様々な構成要素は単なる実施形態であり、構成要素の除去、構成要素の組合せ、および構成要素の置換を含む他の変形が全て想定される。
【００３１】
図示されるように、壁パネル３１６が設置された後、仕上げパネル３４５は、壁パネルの片側または両側に取り付けられてもよい。壁パネル３１６は、壁板３３０、３４０の一方または両方に取り付けられたスペーサ３２３を含んでもよい。スペーサは、閉鎖（例えば、箱形）または開放（例えば、ハット型チャネル、Ｃチャンネル、Ｊチャネルまたはその他）断面を有する細長い部材を使用して実装されてもよい。スペーサの高さは、キャビティ３３７の寸法ｄを定めてもよい。いくつかの例では、異なる高さを有するスペーサを壁パネルの各側で使用することができる。例えば、壁パネル３１６の側３３１の細長い部材３２５の高さは、壁パネル３１６の側３４１の細長い部材３３５の高さよりも大きくてもよい。側３３１は内壁を提供してもよく、内部仕上げパネル３４６は細長い部材３２５に取り付けられてもよい。側３４１は外壁を提供してもよく、外装材３４７は細長い部材３３５に取り付けられてもよい。このような例では、側３４１の壁板３４０とスペーサ３２３との間に追加の層を設けることができる。例えば、耐候性障壁を壁板３４０の外面に配置（例えば接着）することができ、細長い部材３３５を耐候性障壁の上に配置することができる。
【００３２】
図３は、本明細書に記載の少なくともいくつかの実施形態に従って構成された例示的な複数階建て建築物１０２を示す。図３は、建築物１０２、各階１０３、構造フレーム１０４、柱１０６、梁１０８、交差筋交い１１０、ユニット１１２、床−天井パネル１１４、および壁１１６を示す。図３に示す様々な構成要素は単なる例示であり、構成要素の除去、構成要素の組合せ、および構成要素の置換を含む他の変形が全て想定される。
【００３３】
建築物１０２は、２つ以上の階またはレベル１０３を含んでもよい。建築物１０２は、階数に応じて、低層、中層、または高層建設物として分類することができる（各都市または地域機関が、適切と考える方法で建築物の高さを定義してもよい）。建築物１０２は、建築物１０２の１つまたは複数のユニット１１２の壁を画定してもよい１つまたは複数の壁パネル１１６を含んでもよい。いくつかの例では、壁パネル１１６の１つまたは複数は、非耐荷性であってもよく、建築物の構造フレーム１０４の１つまたは複数の要素に近接して配置されてもよい。本明細書に記載される壁パネルは、中層建築物および高層建築物を含むいかなる階（レベル）数の建築物での使用にも好適であり得る。いくつかの実施形態では、建築物は８つ以上の階を有する居住用集合住宅であり得る。いくつかの実施形態では、建築物は１５以上の、またはいくつかの例では３０以上の階を有し得る。
【００３４】
建築物１０２は、構造フレーム１０４を含んでもよい。構造フレーム１０４は、複数の柱１０６、梁１０８、および交差筋交い１１０を含んでもよい。柱１０６は、垂直に向けられてもよく、梁１０８は水平に向けられてもよく、交差筋交い１１０は、柱１０６および梁１０８に対して斜めに向けられてもよい。梁１０８は、隣接する柱１０６の間に延在し、それらに取り付けられて、隣接する柱１０６を互いに接続してもよい。交差筋交い１１０は、構造フレーム１０４に追加の剛性を提供するために、連続する梁１０８と柱１０６との間に延在し、それらに取り付けられてもよい。いくつかの実施形態では、建築物１０２の壁の１つまたは複数は耐荷壁でなくてもよい。いくつかの実施形態では、耐荷支持体が、構造フレーム１０４によって提供されてもよい。柱、梁および交差筋交いは、建築物１０２のほとんどまたはほぼすべての構造的支持を提供するように配置されてもよい。フレームは同様に構造物に装飾または追加の支持を提供するために使用されてもよい。
【００３５】
建築物１０２は、構造フレーム１０４に対して動作可能に配置された複数のユニットまたはモジュール１１２を含んでもよい。ユニット１１２は、商業用、住宅用（居住用ユニットなど）、またはその両方であってもよい。ユニット１１２は、事前に組み立てられた壁パネル、床パネルおよび／またはその他など、複数の事前に組み立てられたまたはプレハブ式の構成要素を使用して、建築現場で組み立てることができる。プレハブ式構成要素は、建築現場から離れて互いに独立して組み立てられ、設置のために建築現場に運ばれてもよい。構成要素は、個々のユニット１１２を形成するために、建築現場で構造フレーム１０４に、隣接する構成要素に、またはその両方に取り付けることができる。いくつかの実施形態では、建築物１０２は内部支持構造を含んでもよい。いくつかの実施形態では、プレハブ式構成要素は内部支持構造に取り付けられてもよい。いくつかの例では、本明細書に記載されたようなプレハブ式構成要素の使用は、建築物１０２などの建築物を建設するための現場時間を大幅に短縮し得る。建築物１０２の各階またはレベル１０３は、プレハブ式構成要素によって画定された１つまたは複数のユニット１１２を含んでもよい。ユニットは、標準化されていて反復的であってもよいし、独特で個性化されていてもよい。標準サイズおよび形状の混合されたユニットを、同一フロア内で、または別々のフロア上で独立した構成で、独特なユニットと組み合わせることができる。いくつかの実施形態では、ユニットは２つ以上のフロアを含んでもよい。
【００３６】
構成要素は、１つまたは複数の事前に組み立てられた床−天井パネル１１４および１つまたは複数の事前に組み立てられた壁パネル１１６を含んでもよい。床−天井パネル１１４は水平に向けられてもよく、上の階のユニットの床および下の階のユニットの天井を画定してもよい。個々の床−天井パネル１１４は、水平方向に互いに隣接して配置されてもよく、互いに、１つまたは複数の柱１０６に、１つまたは複数の梁１０８に、またはそれらのいずれかの組み合わせに取り付けられてもよい。いくつかの例では、床−天井パネルは、パネルの外周の周りでのみ、柱１０６、梁１０８、またはそれらの組み合わせに取り付けられてもよい。壁パネル１１６は、垂直に向けられてもよく、建築物の内部（例えば、間仕切り）壁および外部（例えば、外層）壁を提供してもよい。内部（例えば、間仕切り）壁は、各階を複数のユニットへ、単一ユニットを複数の部屋へ、またはそれらの組み合わせを分割してもよい。壁パネル１１６は、締結具で床−天井パネル１１４に取り付けられ、次いで、コーキングされるか、シールされるか、またはその両方が行われてもよい。いくつかの例では、壁パネル１１６は、構造フレーム１０４の水平構造部材（例えば、梁１０８）および／または垂直構造部材（例えば、柱１０６）に近接して配置される。いくつかの例では、壁パネル１１６は、水平および／または垂直構造部材と実質的に整列されてもよいし、またはオフセットされてもよいが、水平および／または垂直構造部材とほぼ平行とすることができる。
【００３７】
壁パネル３１６は、建築物１０２などの建築物に壁パネル１１６を実装するために使用されてもよい。例えば、壁パネル３１６は、建築物１０２などの建築物内に公共設備壁を構築するために使用されてもよい。伝統的な構造では、壁は典型的にいずれかの所与の階の床と天井との間に構築される。いくつかの例では、事前に組み立てられた壁パネル（例えば壁パネル３１６）は、建築物の複数の階に少なくとも部分的に広がるように構成されてもよい。例えば、本開示による事前に組み立てられた壁パネルは、下の階の少なくとも一部および上の階の少なくとも一部に広がってもよい。事前に組み立てられた壁パネルは、建築物の上のユニットの床レベルより上に延在する上部パネル部分と、建築物の下のユニットの天井レベルより下に延在する下部パネル部分とを含んでもよい。いくつかの例では、上部壁パネル部分は、上の階の完全な高さおよび上の階より上の別の階の部分的な高さに広がってもよい。すなわち、事前に組み立てられた壁パネルは、階全部に広がり、かつ、事前に組み立てられた壁パネルが完全に広がる階より下の階の一部およびそれより上の階の一部に広がってもよい。設置されたときのパネルの垂直方向の長さ（例えば、パネルの高さ）は、約１８フィート〜約２２フィートであってもよい。本開示のいくつかの例による事前に組み立てられた壁パネルは、約２１フィートまでの高さ、いくつかの例では２１フィートを超える高さであってもよい。本開示のいくつかの例による事前に組み立てられた壁パネルは、配管公共設備などの公共設備を、複数のユニットへ、例えば壁パネルが広がるユニットへ提供するように構成されてもよい。いくつかの例では、壁パネルは、公共設備を、その壁パネルが広がるユニットより下および／または上のユニットなどの追加ユニットへ提供してもよい。すなわち、壁パネルは、その公共設備構成要素が動作可能に接続され得るように、垂直に隣接する壁パネルに取り付けられるように構成されてもよい。
【００３８】
いくつかの実施形態では、壁パネルは、例えば１つまたは複数のドアまたは窓を収容するための入口／出口特徴部を含んでもよい。図４は、いくつかの実施形態による事前に組み立てられた壁パネル３１６’を示す。図４は、壁パネル３１６’、壁板３３０、３４０、パネルフレーム３２０、スペーサ３２３、キャビティ３２７、開口３２８、および下部パネル部分３１６’−１および上部パネル部分３１６’−２を示している。図４に示す様々な構成要素は単なる例示であり、構成要素の排除、構成要素の組合せ、および構成要素の置換を含む他の変形が全て想定される。
【００３９】
壁パネル３１６’は、壁パネル３１６と同様であってもよく、壁パネル３１６の構成要素の１つまたは複数を含んでもよく、その全ての記載は簡潔にするために繰り返さない。例えば、壁パネル３１６’は、パネルフレーム３２０と、第１および第２の壁板３３０および３４０とを含んでもよい。パネルフレーム３２０ならびに第１および第２の壁板３３０および３４０は、本明細書中のいずれかの例を使用して実装することができる。この図示された実施形態では、壁パネル３１６’は、ドア（図示せず）を収容するように構成されてもよい。この目的のために、壁パネル３１６’は、ドア（図示せず）を受け入れるようにサイズ決めすることができる開口３３８を含んでもよい。壁パネル３１６’は、壁パネル３１６’が設置されたときに下のユニットの少なくとも一部に広がり得る下部３１６’−１を含んでもよい。壁パネル３１６’は、壁パネル３１６’が設置されたときに上のユニットの少なくとも一部に広がり得る上部３１６’−２を含んでもよい。いくつかの例では、上部３１６’−２は、上のユニットに完全に広がってもよく（例えば、その全高さに延在してもよく）、上のユニットより上の別のユニットの少なくとも一部にさらに広がってもよい。
【００４０】
パネル３１６’は、仕上げパネルを壁板（例えば、壁板３３０）に対して間隔を置いて支持し得るスペーサ３２３を含んでもよい。スペーサ３２３は、水平（例えばプラスまたはマイナス１５度）に配置されてもよい。スペーサ３２３は、水平に延在するキャビティ３２７を画定しながら互いに規則的または不規則的に間隔を置かれてもよい。キャビティ３２７の１つまたは複数は、壁パネル３１６’を建築物に設置するときに、他の構造物（例えば、梁または床パネル）を収容するように構成されてもよい。
【００４１】
図５Ａおよび５Ｂは、建築物１０２などの建築物の一部の等角立面図を示す。図５Ａおよび５Ｂは、公共設備壁パネル３１６、３１６’および３１６’’、壁パネル１１６−１、１１６−２、１１６−３の一部、床パネル１１４−１および１１４−２の一部、管３５０、排水管３５０ａおよび３５０ｃ、および給水管３５０ｂおよび例示的配管器具（例えば、シンク３５６およびトイレ３５８）を示す。図５Ａおよび５Ｂに示す様々な構成要素は単なる実施形態であり、構成要素の排除、構成要素の組合せ、および構成要素の置換を含む他の変形が全て想定される。
【００４２】
壁パネル１１６−１、１１６−２、および１１６−３は、３つの垂直に隣接する階１１２−１、１１２−２、および１１２−３に関連付けられている。床パネル１１４−１および１１４−２は、垂直に隣接する階の間に床および天井を提供する。公共設備壁パネル３１６、３１６’、および３１６’’は、それぞれ２つ以上の階に広がる。公共設備壁パネル３１６、３１６’、および３１６’’の１つまたは複数は、２つ以上の階に対して公共設備を提供するように構成されてもよい。例えば、壁パネル３１６は、階１１２−１、１１２−２、および１１２−３のそれぞれに公共設備を届けるために壁パネルの頂部側および底部側の間の長さの大部分であり得る複数の管３５０を含んでもよい。壁パネル３１６は、排水管（例えば、管３５０ａ）および給水管（例えば、管３５０ｂ）を含んでもよい。管の１つまたは複数は、１つまたは複数の管分流器を有してもよい。例えば、排水管３５０ａは、第１の管分流器３５２ａ−１と、第２の管分流器３２５ａ−２と、第３の管分流器３５２ａ−３とを含んでもよい。第１の管分流器３５２ａ−１および第２の管分流器３２５ａ−２は、管３５０ａを壁パネル３１６の下または上の隣接する壁パネルに接続するために使用されてもよい。第３の管分流器３５２ａ−３は、複数の中間管分流器のうちの１つであり得るが、ユニット内の公共設備を経路決定するために使用されてもよい。例えば、第３の管分流器３５２ａ−３は、配管器具（例えば、スキン、トイレ吹出し口、シャワーまたは浴槽ライナー（shower or bath line））の排水路に接続するために使用されてもよい。
【００４３】
同様に、給水管３５０ｂは、１つまたは複数の管分流器（例えば、管分流器３５２ｂ−１、３５２ｂ−２、３５２ｂ−３）を含んでもよい。隣接する壁パネルのそれぞれの管に管３５０ｂを接続する（例えば、温水を温水供給ラインへ、冷水を冷水供給ラインへ接続する）ために、管分流器の２つ（３５２ｂ−１、３５２ｂ−２）を使用することができる。管３５０ｂの他の管分流器は、配管器具（例えば、蛇口、シャワーヘッド等）に接続するために使用されてもよい。いくつかの例では、管分流器は、図５Ａの例の管５５０ａの管分流器３５２ａ−１および３５２ａ−３など、ユニットの内部に向けられた開口を有してもよい。いくつかの例では、管分流器は、図５Ａの例の管５５０ｃの管分流器３５２ｃ−１および３５２ｃ−３など、ユニットの内部に向けられた開口を有してもよい。内部配管器具に接続するように構成された管分流器は、管分流器３５２ａ−３および３５２ｃ−３など、内側に向いていてもよい（例えば、ユニットの内部に向けられた開口を有してもよい）。管３５０は、パネル内の１つの管をパネル内の別の管に接続してもよい他の管分流器を含んでもよい。これらの管分流器は、露出されていなくてもよいが、代わりに壁パネル内に実質的に囲まれていてもよい。
【００４４】
垂直に隣接する壁パネル間の接続は、管継手（例えば、エルボ形およびＴ字形）を使用して形成することができる。１つまたは複数の管継手および／または１つまたは複数の管セクションを、隣接する壁パネルのそれぞれの管の管分流器の自由端に接続することができる。管分流器の自由端は、露出されてもよい（例えば、パネルの壁板の開口を通過して）ので容易にアクセス可能であり得る。火災安全要件を満たすために、開口に火炎止めカラーを設けることができる。管接続が行われると、接続は仕上げパネルの後ろに隠すことができる。
【００４５】
図６は、隣接する壁パネルの部分立面断面図を示す。図６は、壁パネル３１６−１および３１６−２の一部と、管３５０−１および３５０−２と、管分流器３５２−１および３５２−２と、スペーサ３２３−１および３２３−２の間の管継手３５４を示す。図６に示す様々な構成要素は単なる実施形態であり、構成要素の排除、構成要素の組合せ、および構成要素の置換を含む他の変形が全て想定される。
【００４６】
壁パネル３１６−２は、壁パネル３１６−１の上に垂直に配置されてもよく、壁パネルは、互いに、および／または建築物の他の構造物に接合されてもよい。いくつかの例では、壁パネル３１６−１の上側がパネル３１６−２の下側に接触してもよい。いくつかの例では、端部部材３２４−１および３２４−２が、互いに対して設けられてもよい。いくつかの例では、パネル間の接合部を強化するために隣接する側の間に舌部および溝の界面を設けることができる。壁パネル３１６−１は管３５０−１を含んでもよく、壁パネル３１６−２は個別の管３５０−２を含んでもよい。管は各端部で蓋をされてもよい。管は、管３５０−１の管分流器３５２−１および管３５０−２の管分流器３５２−２など１つまたは複数の管分流器を含んでもよい。管継手３５４は、管分流器３５２−１および３５２−２の自由端部のそれぞれに接続されてもよい。管継手は、２つの管分流器を接続する連続管セクションまたは管分流器の自由端部間に一緒に接合された複数の管セクションを含んでもよい。管分流器および管継手は、管ジョイントが仕上げパネルの後ろの空間内に（例えば、下部パネル３１６−１のスペーサ３２３−１と上部パネル３１６−２のスペーサ３２３−２との間に画定されたキャビティ内に）完全に囲まれるように構成されてもよい。管接続部は、垂直方向、水平方向または斜め方向に延在してもよい。いくつかの例では、隣接する壁パネル間の管接続部を収容するために、スペーサ３２３を通して切欠きを設けることができる。管接続部は、例えば、図５Ａおよび５Ｂを参照して前述したように、壁パネルのいずれかの側に形成されてもよい。
【００４７】
図７は、建築物の他の構造物に取り付けられた壁パネルの立面断面図である。図７は、梁１０８、床パネル１１４、壁パネル３１６、ブラケット３２９、壁板３３０、３４０、側３３１、３４１、仕上げパネル３４５、およびスペーサ３２３−１、３２３−２を示す。図７に示す様々な構成要素は単なる実施形態であり、構成要素の排除、構成要素の組合せ、構成要素の置換を含む他の変形が全て想定される。
【００４８】
対向する側３３１および３４１を定める壁板３３０および３４０を含んでもよい壁パネル３１６は、建築物の構造フレームに（例えば、梁１０８に）および／または床パネル１１４に取り付けられてもよい。側３３１は、ユニットの内壁を画定する内側であってもよい。側３４１は、建築物の外壁を画定する外側であってもよい。壁パネル３１６は、建築物の複数の階に広がっていてもよい。従って、壁パネル３１６は、１つまたは複数の床パネルが設置された後に建築物内に設置されてもよい。床パネル１１４は梁１０８に接合（例えば、機械的に締結）されてもよい。壁パネル３１６は、梁１０８の反対側で、ブラケット３２９を用いて接合される（例えば、機械的に締結される）ように設けられてもよい。いくつかの例では、パネルは代わりにフレームに溶接されてもよい。間隙はシールおよび／またはコーキングされ、仕上げ材は、例えば、各ユニットに関連付けられる仕上げパネル３４５を、それぞれのユニット内に配置されたスペーサ３２３−１、３２３−２に取り付けることによって、設置されてもよい。
【００４９】
図８は、本開示のさらなる例による仕上げパネルシステムの部分立面断面図である。図８は、壁板３５０と、それに取り付けられたスペーサ３２３と、スペーサ３２３の両側のキャビティ３２７と、隣接する仕上げパネル８００ａおよび８００ｂの上部および下部とを示す。
【００５０】
各仕上げパネルは、内層および外層、ならびに仕上げパネルの対向縁部に沿って配置された一対のクリートを含んでもよい。各仕上げパネルは、約４ｆｔ幅×約１０ｆｔ長さであってもよい。他の寸法、例えば約３ｆｔ、４ｆｔ、５ｆｔまたはそれ以上の幅×約８ｆｔ、９ｆｔ、１０ｆｔまたはそれ以上の長さが使用されてもよい。仕上げパネルは、特定の用途に所望され得るまたは適切であり得るような任意のサイズで製造されてもよいことが理解されるであろう。内層（例えば、８０２ａ、８０２ｂ）は、セメントボードまたはＭｇＯボードなどの不燃性材料から形成されてもよい。外層（例えば、８０４ａ、８０４ｂ）は装飾層であってもよい。いくつかの例では、外層（例えば、８０４ａ、８０４ｂ）は、セラミック、磁器、または天然石タイルの形態であってもよい。一対のクリートは、図示の例では仕上げパネル８００ｂの下部および仕上げパネル８００ａの上部にそれぞれ取り付けられて示されている下部クリート８１０および上部クリート８３０を含んでもよい。この図には示されていないが、仕上げパネル８００ａの対向（下側）端部に下部クリート８１０が設けられてもよく、仕上げパネル８００ｂの対向（上側）端部に上部クリート８３０が設けられてもよいことが理解されるだろう。このようにして、いずれの選択の表面領域もカバーするために、複数の仕上げパネルを側部同士が接した状態で配置することができる。
【００５１】
下部クリート８１０は、外側フランジ８１６、内側フランジ８１６、および傾斜壁８１２によって画定される実質的にＺ字形の断面を有してもよい。外側フランジ８１６は、傾斜壁から一方向に延在する下部フランジ部分８１６−１と、傾斜壁８１２から反対方向に延在する上部フランジ部分８１６−２とを含んでもよい。上部フランジ８１６−１、傾斜壁８１２および内側フランジ８１４は、内層（例えば、仕上げパネル８００ｂの内層８０２ｂ）の下端部を受け入れるチャネル８１５を画定してもよい。上部クリート８３０は、内層（例えば、仕上げパネル８００ａの内層８０２ａ）の上端部を受け入れる反転チャネル８３５を画定する内側フランジ８３８および外側フランジ８３６、ならびに傾斜壁８３２を含んでもよい。壁８１２および８３２は、それぞれクリート８１０および８３０の内側フランジ８１４および８３８に対して対向する方向に傾斜してもよい。すなわち、傾斜壁８１２は内側フランジ８１４に向かって（例えば、それと鋭角を成して）傾斜してもよく、傾斜壁８３２は内側フランジ８３８から離れる方に（例えば、それと鈍角を成して）傾斜してもよい。傾斜壁８１２および８３２は、クリート８１０および８３０が互いに入れ子にされるときに傾斜壁８１２および８３２が互いに当接するように、形状が合致する傾斜を有してもよい。上部クリート８３０の外側フランジ８３６は、棚８３４を含んでもよい。棚８３４は、フランジ８３６に対して実質的に直交するように延在してもよい。棚８３４は、クリート８１０の外側フランジ８１６および／または上部パネル８００ｂの外層８０４ｂを据え付けるのに十分な幅であってもよい。仕上げパネルが設置されると、フランジ８１６の縁部８１９および外層の底側は、棚８３４に当接してもよい。
【００５２】
取り付けられたとき、仕上げパネル８００ａ、８００ｂは、内層が外層よりも壁構造（事前に組み立てられた壁パネル３１６になど）に近い状態で、壁構造に取り付けられてもよい。典型的な設置は、まず下部仕上げパネル（例えば、仕上げパネル８００ａ）を設置し、続いて上部仕上げパネル（例えば、仕上げパネル８００ｂ）を設置し、続いてさらに別の仕上げパネルを上部仕上げパネルの上に垂直に設置することなどを伴い得る。下部パネルは、例えば仕上げパネルをスペーサに機械的に締結することによって設置することができる。下部クリート８１０の外側フランジ８１６が上部クリート８３０の外側フランジ８３６と実質的に同一平面上に配置されることを可能にするために、皿穴および締結具を使用することができる。
【００５３】
取り付けられたとき、クリート８３０の傾斜壁８３２は、壁構造に向かって下方に傾斜してもよく、クリート８１０は、設置済みの下部仕上げパネルに向かって上部仕上げパネルを垂直方向に移動させることによってクリート８１０内に摺動可能に据え付けられてもよい。仕上げパネル８００ｂの重量によって補助されて、傾斜壁８３２は、仕上げパネル８００ｂの外向き水平移動に抵抗するように傾斜壁８１２と動作可能に係合してもよい。このようにして、上部仕上げパネル８００ｂは、追加の締結具を用いることなく、下部仕上げパネル８００ａに取り付けられた状態で維持され得る。いくつかの例では、上部仕上げパネルの上部は、次のパネルがその上に取り付けられる前に機械的に締結されてもよい。
【００５４】
仕上げパネル取り付けシステム８０１は、浴室の表面など、通常であれば水分に対してシーリングを必要とし得る仕上げ壁に有用であり得る。典型的に、浴室の壁仕上げ材の設置は非常に時間がかかる。それというのも、１つには、各タイルが一度に１つずつ敷設され、この際、各タイルを水平にし、均等なグラウトラインを達成するためにタイル間の等しい間隔を確保するのにかなりの時間が費やされるからである。さらに、タイルの下の層は、水分の侵入に対してシールされる必要があり得、タイルが全て所望のパターンで配置されたら、地面を設置しなければならない。仕上げパネル取付けシステム８０１は、グラウチング、水分に対するシール、および／またはタイルの個々の水平化および整列の必要性を排除し得る。各仕上げパネル８００ａ、８００ｂは、壁システムに取り付けられる準備が整った状態で作業現場に到着し、その設置は、連続した水不透過性の壁カバーを形成するように１つの仕上げパネルを別のパネルに単純に積み重ねることを含み得る。クリートシステムは、仕上げパネルの設置を単純化し得るだけでなく、タイル間の空間がクリートシステムの一部（例えば、棚８３４）によって充填され得るので、タイル間のグラウチングの必要性を排除し得る。いくつかの例では、仕上げパネルの後ろに水が浸入する危険性をさらに低減するために、水不浸透層（例えば、膜であってもよいし、または液体として適用されてもよい防水材）が、フランジ８１６、８３６の上に、および／または各仕上げパネルの内層および外層８０２、８０４の間に適用されてもよい。
【００５５】
図９は、例示的な方法のフロー図である。方法９００は、建築物１０２などの建築物の壁システムを構築するために使用することができる。例示的な方法は、ブロック９０５〜９２５のうちの１つまたは複数によって示されるような１つまたは複数の作業、機能または動作を含み得る。図９に示す様々なブロックは単なる例示であり、ブロックの除去、組合せ、および置換を含む他の変形が全て想定される。いくつかの実施形態では、ブロックは異なる順序で実行されてもよい。いくつかの他の実施形態では、様々なブロックを排除することができる。さらに他の実施形態では、様々なブロックは、追加のブロックに分割する、他のブロックで補充する、またはより少ないブロックに組み合わせることができる。ブロックの順序の変更、他のブロックに分割または組み合わせられるブロックの内容の変更等を含む、これらの特定のブロックの他の変形が想定される。いくつかの実施形態では、任意選択のブロックを省略することができる。
【００５６】
例示的な方法９００は、ブロック９０５に示すように、第１の事前に組み立てられた壁パネルを建築物の構造フレームに取り付けることを含んでもよい。壁パネルは、パネルをフレームに取り付ける構成要素によってなど、構造フレームに直接取り付けられてもよく、または、壁パネルを他の構成要素（例えば、床パネル）に取り付けるなどして、間接的に構造フレームに取り付けられてもよい。構造フレームは、建築物１０２などの建築物のための構造的支持を提供するように動作可能に接続された１つまたは複数の梁および柱を含んでもよい。第１の事前に組み立てられた壁パネルは、少なくとも１つの梁に隣接して配置されてもよい。いくつかの例では、事前に組み立てられた壁パネルは、少なくとも部分的に複数の階に広がってもよく、そのような例では、複数の垂直に離間した梁に隣接していてもよい。いくつかの例では、第１の事前に組み立てられた壁パネルを構造フレームに取り付けることは、第１の事前に組み立てられた壁パネルに取り付けられたアングルブラケットを、建築物１０２などの建築物の水平構造部材（例えば、梁１０８）に機械的に接合することを含んでもよい。
【００５７】
方法９００は、ブロック９１０に示すように、第２の事前に組み立てられた壁パネルを、第１の事前に組み立てられた壁パネルの上に垂直に配置することをさらに含んでもよい。第１および第２の事前に組み立てられた壁パネルのそれぞれは、少なくとも１つの管であって、少なくとも部分的に壁パネルの内部にあり、壁パネルの外部に露出した少なくとも１つの管分流器を含む少なくとも１つの管を含んでもよい。第２の事前に組み立てられた壁パネルは、第２の事前に組み立てられた壁パネルの底部側が第１の事前に組み立てられた壁パネルの頂部側に接触するように、第１の事前に組み立てられた壁パネルの上に直接提供されてもよい。壁パネルの隣接する側は、互いに直接接触していてもよい。いくつかの例では、壁パネルの隣接する側の間に中間層を設けることができる。いくつかの例では、２つの壁パネルの間の界面を実質的にシールするように、壁パネル間に界面構成要素を設けることができる。方法９００は、ブロック９１５に示すように、第２の事前に組み立てられた壁パネルを建築物の構造フレームに取り付けることを含んでもよい。例えば、第２のパネルは、例えば壁パネルを梁などの構造部材に接合することによって構造フレームに直接取り付けることができる。いくつかの例では、第２のパネルは、壁パネルを別の壁パネルおよび／または床パネルなどの別のパネルに取り付けるなどして、間接的に構造フレームに取り付けることができる。
【００５８】
方法９００は、第１および第２の事前に組み立てられた壁パネルの管を流体的に結合するために、第１および第２の壁パネルの流れ分流器のそれぞれに管継手を接続することをさらに含んでもよい。壁パネルのそれぞれは、給水管および排水管などの複数の管を含んでもよいことが理解されよう。それぞれの管は、適切なサイズの管継手（例えば、エルボ形、アングル型、Ｔ字形またはその他を含む管セクション）を使用して流体接続することができる。垂直に隣接するパネルの温水および冷水ラインは、水を特定の壁パネルに関連するユニットより上のユニットに供給できるように、流体接続することができる。同様に、排水管を接続して、建築物内の任意のユニットから下水を下方におよび主排水ラインに排水することができる。いくつかの例では、壁パネル内の管は、複数の管分流器を含んでもよく、そのうちのいくつかは隣接するパネルの管を接続するために使用されてもよく、他のものはブロック９２５に示すように配管器具をそれに接続するために使用されてもよい。前述のように、本開示による壁パネルは、複数の階に広がるようにサイズ決めすることができる。すなわち、壁パネルは、建築物の上のユニットの床レベルより上に延在する上部パネル部分と、建築物の下のユニットの天井レベルより下に延在する下部パネル部分とを含んでもよい。そのような例では、方法は、上部パネル部分と下部パネル部分との間の位置で床パネルを構造フレームに取り付けることをさらに含んでもよい。いくつかの例では、床パネルは、壁パネルのいずれかが構造フレームに取り付けられる前に、構造フレームに取り付けられてもよい。いくつかの例では、壁パネルおよび床パネルは、梁の両側にあってもよい。壁パネルおよび床パネルは、梁の反対側または隣接する側に取り付けることができる。
【００５９】
本開示による事前に組み立てられた壁パネルは、複数のスタッドと少なくとも２つの端部部材とを含むパネルフレームを含んでもよい。壁パネルが建築物に設置されるとき、端部部材は水平部材であってもよく、スタッドは垂直部材であってもよい。スタッドおよび端部部材は、互いに直交していてもよい。いくつかの例では、フレームは概ね矩形であってもよく、第１および第２の端部部材は、少なくとも２つのスタッドの両側の端部に設けられてもよい。第１の端部部材は、少なくとも２つのスタッドの一方の端部に配置されてもよく、第２の部材は、少なくとも２つのスタッドの反対側の端部に配置されてもよい。他の例では、少なくとも２つのスタッドが、第１および第２の端部部材のそれぞれに接続されてもよい。他の例では、任意の数のスタッドが端部部材の間に配置されてもよい。いくつかの例では、フレームは異なる形状を有してもよく、異なる数の端部部材が２つ以上のスタッドの両側の端部に取り付けられてもよい。
【００６０】
壁パネルはまた、パネルフレームの第１の側に接続された第１の壁板を含んでもよい。第１の壁板は、フレームの第１の側を完全にまたは部分的に覆ってもよい。壁パネルはまた、第１の側の反対側のパネルフレームの第２の側に接続された第２の壁板を含んでもよい。第２の壁板は、フレームの第２の側を完全にまたは部分的に覆ってもよい。壁パネルは、複数のスペーサを含んでもよい。スペーサは、壁板に取り付けることができる。いくつかの例では、複数のスペーサを第１の壁板に取り付けることができる。いくつかの例では、複数のスペーサを第１の壁板に取り付けることができる。いくつかの例では、第１および第２の壁板の両方にスペーサを取り付けることができる。壁パネルは、第１の壁板と第２の壁板との間に配置することができる管をさらに含んでもよい。管は、端部部材に対して直角に延在してもよい。いくつかの例では、管またはその一部は、壁パネル内で端部部材間に斜めに延在してもよい。管は管分流器を含んでもよく、その自由端部は、自由端部の開口を壁パネルの外部に露出させるように、壁板の１つの開口を通過してもよい。
【００６１】
いくつかの例では、壁パネルの少なくとも１つの壁がユニットの内壁を提供してもよい。１つまたは複数の仕上げパネルを壁パネルに締結、付着または他の方法で接続するなどして、壁仕上げ材を内側に設置することができる。いくつかの例では、仕上げパネルは、仕上げパネルと壁板との間にキャビティを画定するためにスペーサに取り付けられる。キャビティは公共設備を収容してもよい。例えば、１つまたは複数の管継手は、仕上げパネルの後ろに配置されてもよく、キャビティ内に部分的または完全に取り囲まれてもよく、これにより建築物の内部の審美的な外観が高められるかもしれない。同様に、パネルの反対側に壁仕上げ材を設置することができ、これは別の内側または外側であり得る。いくつかの例では、隣接する壁パネルの管の間の接続は、壁パネルのいずれかの側で行うことができる。いくつかの実施形態では、壁パネルは配管公共設備と電気公共設備の両方を含んでもよい。いくつかの実施形態では、壁パネルは、通信機器、ダクト、暖房、換気および空調（ＨＶＡＣ）機器、火災スパークラー配管、輻射熱配管および／または排水配管などの他の公共設備を含んでもよい。隣接するパネルの公共設備ライン間の接続部は、本開示に従って仕上げパネルの後ろに形成され、少なくとも部分的に隠されてもよい。
【００６２】
パネルは、以下の建築条例：火災、エネルギー、ハンディキャップ、人命安全性、および音響（衝撃および周囲騒音伝達）のうちの１つまたは複数を遵守するように構成されてもよい。同じくパネルは、必要に応じて社会的および／または宗教的な条例を遵守するように構成されてもよい。いくつかの実施形態では、事前に組み立てられた公共設備パネルは、火災、音衝撃、エネルギー、および人命／安全性条例を満たす完全に統合されたサブアセンブリと見なすことができる。公共設備パネルは、いくつかの実施形態において、電気、防火、エネルギー絶縁、および遮音能力と完全に一体化されてもよい。公共設備パネルは、２時間の火災評価など、該当する建築条例によって設定された火災評価を達成するように設計されてもよい。いくつかの実施形態では、パネルは、建築ユニットのための暖房システムを提供してもよい。材料、システム、方法、および／または装置は、管轄区域で採用された国際建築基準法を遵守するように構成されてもよい。
【００６３】
本明細書に記載の公共設備パネルは、工場または店舗において現場外で作製され、建築物の、構造上の外骨格などの構造フレームに取り付けるためにプロジェクト作業現場に運ばれてもよい。現場外作製は、配線、給排水配管、ＨＶＡＣ、およびそれらの組み合わせなど、パネル内の公共設備の提供を含んでもよい。パネルは、８フィート×２２フィートなど様々なサイズで作製することができる。建築物壁システムを完成させるために、より小さな嵌め込みパネルをプロジェクトごとに事前に作製することができる。建築現場では、パネルは、床パネル、天井パネル、端壁、間仕切り壁、他の公共設備壁、建築用公共設備、またはそれらの任意の組み合わせに取り付けることができる。公共設備パネルは、いくつかの実施形態では現場で設置された外部鉄骨フレームを含み得る外壁および／または内壁システム全体を支持してもよい。
【００６４】
公共設備パネルは、外壁および内壁を提供してもよい。軽量フレームなどのフレームが、公共設備パネルを支持してもよい。いくつかの実施形態では、内壁はドライウォールであり、軽量装飾パネルがドライウォールに取り付けられる。内壁の反対側で、フレームは、構造的に絶縁されたパネルなどの外壁を支持してもよい。壁内輻射熱部材、音響およびエネルギー絶縁材、フロアを音響的に分離するための遮音材、消火スプリンクラー配管、電気配線およびデータケーブルまたはそれらの任意の組合せを、公共設備パネルの内壁と外壁との間に配置することができる。公共設備パネル構成は、公共設備を壁内で水平および垂直の両方に分散させることを可能にし得、これにより単一の公共設備パネルが複数階建てまたは多ユニット建築物内の複数のユニットにサービスを提供することが可能になり得る。
【００６５】
提供された例は単に説明を目的とし、本開示の範囲を限定するものと見なすべきではない。各例示的な実施形態は、都市型複合用途開発、低層居住ユニット、および／または遠隔地域などの特定の環境に対して実用的であり得る。個々の要素の材料および寸法は、本開示の原理の範囲から逸脱することなく、以下の建築条例：火災、エネルギー、ハンディキャップ、人命安全性、および音響（衝撃および周囲騒音伝達）のうちの１つまたは複数を遵守するように構成されてもよい。同じく要素および／またはシステムは、必要に応じて社会的および／または宗教的な条例を遵守するように構成されてもよい。例えば、材料、システム、方法および／または装置は、管轄区域で採用された国際建築基準法を遵守するように構成されてもよい。
【００６６】
本開示は本出願に記載の特定の実施形態に限定されるべきでなく、それら特定の実施形態は様々な態様の例示として意図されている。当業者には明らかであろうように、その趣旨および範囲から逸脱することなく、多くの修正形態および実施形態を実施することができる。本開示の範囲内の機能的に等価な方法および装置が、本明細書に列挙したものに加えて、前述の記載から当業者に明らかであろう。こうした修正形態および実施形態は、付随する特許請求の範囲内にあることが意図される。本開示は、付随する特許請求の範囲が権利を与えられる等価物の完全な範囲とともに、付随する特許請求の範囲の条件を含む。本開示は特定の方法、試薬、化合物、組成物および生物系に限定されず、それらは当然のことながら変化し得るものであることを理解されたい。本明細書で用いた用語は単に特定の実施形態を記載するためのものであり、限定するつもりはないことも理解されたい。
【００６７】
本明細書における実質的に全ての複数形および／または単数形の用語の使用に関して、当業者は、状況および／または用途に適切なように、複数形から単数形に、および／または単数形から複数形に変換することができる。様々な単数形／複数形の置き換えは、理解しやすいように、本明細書で明確に記載され得る。
【００６８】
全体的に、本明細書において、特に付随する特許請求の範囲（たとえば、付随する特許請求の範囲の本体部）において使用される用語は、「オープンな」用語として概ね意図されていることが、当業者には理解されよう（例えば、用語「含む（including）」は、「含むがそれに限定されない」と解釈されるべきであり、用語「有する（having）」は、「少なくとも有する」と解釈されるべきであり、用語「含む（includes）」は、「含むがそれに限定されない」と解釈されるべきである等）。
【００６９】
導入される請求項の記載の具体的な数が意図される場合、そのような意図は当該請求項において明示的に記載され、そのような記載がない場合、そのような意図は存在しないことが当業者にさらに理解されよう。例えば、理解の一助として、以下の付随する特許請求の範囲は、請求項の記載を導くために、導入句「少なくとも１つの（at least one）」および「１つまたは複数の（one or more）」の使用を含む場合がある。しかしながら、そのような句の使用は、同一の請求項が、導入句「１つまたは複数の」または「少なくとも１つの」および「a」または「an」などの不定冠詞を含む場合であっても、不定冠詞「a」または「an」による請求項の記載の導入が、そのように導入される請求項の記載を含むいずれかの特定の請求項を、たった１つのそのような記載を含む実施形態に限定する、ということを示唆していると解釈されるべきでない（例えば、「a」および／または「an」は、「少なくとも１つの」または「１つまたは複数の」を意味すると解釈されるべきである）。同じことが、請求項の記載を導入するために使用される定冠詞の使用にも当てはまる。加えて、導入される請求項の記載で具体的な数が明示的に記載されている場合でも、そのような記載は、少なくとも記載された数を意味するように解釈されるべきであることが、当業者には理解されよう（例えば、他の修飾語のない「２つの記載（two recitations）」のむき出しの記載は、少なくとも２つの記載、または２つ以上の記載を意味する）。
【００７０】
さらに、「Ａ、ＢおよびＣの少なくとも１つ等」に類似の慣例表現が使用されている事例では、一般にそのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に有するシステムを含むが、それに限定されない等）。「Ａ、Ｂ、またはＣの少なくとも１つ等」に類似の慣例表現が使用されている事例では、一般にそのような構文は、当業者がその慣例表現を理解するであろう意味で意図されている（例えば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に有するシステムを含むが、それに限定されない等）。２つ以上の代替用語を提示する事実上いかなる離接する語および／または句も、明細書、特許請求の範囲、または図面のどこにあっても、当該用語の１つ、当該用語のどちらか、または両方の用語を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００７１】
加えて、本開示の特徴または態様がマーカッシュグループによって記載されている場合、本開示はまたそれによりマーカッシュグループのメンバーのあらゆる個別メンバーまたはサブグループによって記載されていることを当業者は認識するであろう。
【００７２】
当業者に理解されるであろうように、書面による記載を提供するためなど、あらゆる目的のために、本明細書に開示される全ての範囲はあらゆる可能な部分範囲およびその部分範囲の組み合わせも網羅する。挙げられた範囲はいずれも、同じ範囲が少なくとも２等分、３等分、４等分、５等分、１０等分等に細分化されることを十分に記載し可能にするものと簡単に認識することができる。非限定的な例として、本明細書に記載される各範囲は、下３分の１、中央３分の１、および上３分の１等に容易に細分化することができる。同様に当業者に理解されるであろうように、「最大（up to）」、「少なくとも（at least）」、「を超える（greater than）」、「未満（less than）」およびそれらに類するものなどの言葉は全て、記載された数を含み、上記のような部分範囲に後で細分化できる範囲を指す。最後に、当業者に理解されるであろうように、範囲は各個別メンバーを含む。従って、例えば、１個〜３個のアイテムを有するグループは１個、２個、または３個のアイテムを有するグループを指す。同様に、１個〜５個のアイテムを有するグループは１個、２個、３個、４個、または５個のアイテムを有するグループを指し、以下同様である。
【００７３】
本明細書に記載された主題は、他の異なる構成要素に包含されるかまたは他の異なる構成要素に接続された異なる構成要素を時に例示している。そのように図示された構造は単に実施形態にすぎず、実際に、同じ機能を実現する多くの他の構造が実践可能であることを理解されたい。概念的な意味で、同じ機能を実現する構成要素のあらゆる構成が、所望の機能が実現されるように効果的に「関連付け」られる。従って、特定の機能を実現するために組み合わされた本明細書中のいかなる２つの構成要素も、構造または中間の構成要素にかかわらず、所望の機能が実現されるように互いに「関連付け」られていると考えることができる。同様に、そのように関連付けられたいかなる２つの構成要素も、所望の機能を実現するために、互いに「動作可能に接続」または「動作可能に結合」されているとみなすこともでき、そのように関連付けることができるいかなる２つの構成要素も、所望の機能を実現するために、互いに「動作可能に結合可能」であると見なすこともできる。動作可能に結合可能な特定の実施形態には、物理的にかみ合わせ可能なおよび／もしくは物理的に相互作用する構成要素、ならびに／またはワイヤレスに相互作用可能なおよび／もしくはワイヤレスに相互作用する構成要素、ならびに／または論理的に相互作用するおよび／もしくは論理的に相互作用可能な構成要素が含まれるが、それらに限定されない。
【００７４】
様々な態様および実施形態を本明細書に開示してきたが、他の態様および実施形態が当業者には理解されるであろう。本明細書に開示した様々な態様および実施形態は例示を目的とし、限定するつもりはなく、真の範囲および趣旨は以下の特許請求の範囲によって示される。
【図１Ａ】
2019509412.tif 000003
【図１Ｂ】
2019509412.tif 000004
【図２】
2019509412.tif 000005
【図３】
2019509412.tif 000006
【図４】
2019509412.tif 000007
【図５Ａ】
2019509412.tif 000008
【図５Ｂ】
2019509412.tif 000009
【図６】
2019509412.tif 000010
【図７】
2019509412.tif 000011
【図８】
2019509412.tif 000012
【図９】
2019509412.tif 000013
【国際調査報告】
2019509412.tif 000014